(57)【要約】【課題】  リサイクルをし易いことに加え、汎用のネジ締結部品をインサート成形することなく用いることができると共に、簡素な金型で製造できる、ネジ締結される樹脂成形品を提供する。【解決手段】  締結部品保持部１１３は、片持ちバネ部分１１３ｂと、フック部分１１３ａとを備えている。片持ちバネ部分１１３ｂは、筒状部１１１の内壁にスリットを介して形成されている。フック部分１１３ａは、片持ちバネ部分１１３ｂの先端から内側に向かって筒状部１１１内に挿入された六角ナット３０の挿入後端面に僅かにオーバーラップするように突出している。締結部品保持部１１３は、六角ナット３０の筒状部１１１内への挿入を、片持ちバネ部分１１３ｂが筒状部１１１の外側に向かって撓むことによって許す。【選択図】  図１
2010196768.tif 000002
【特許請求の範囲】
【請求項１】
他部品とネジ締結される樹脂成形品であって、樹脂成形品の表面に開口した基端から先端に向かって延び、ネジ締結部品を挿入可能な内径を持つ筒状部と、ネジ締結部品のネジ軸を挿通可能なネジ孔を除いて前記筒状部の先端を塞いだ閉塞部と、前記筒状部の内壁面から内側に向かって該筒状部内に挿入されたネジ締結部品にオーバーラップするように突出し、前記筒状部内に挿入されたネジ締結部品の離脱を規制する締結部品保持部とを有するネジ締結される樹脂成形品において、
前記締結部品保持部は、
前記筒状部の内壁にスリットを介して形成された片持ちバネ部分と、
前記片持ちバネ部分の先端から内側に向かって前記筒状部内に挿入されたネジ締結部品の挿入後端面に僅かにオーバーラップするように突出するフック部分とを備えており、
ネジ締結部品の前記筒状部内への挿入を前記片持ちバネ部分が該筒状部の外側に向かって撓むことによって許すことを特徴とするネジ締結される樹脂成形品。
【請求項２】
前記締結部品保持部の前記フック部分は、前記筒状部の前記基端を臨むテーパ面を持ち、該テーパ面がネジ締結部品によって押されることにより、前記片持ちバネ部分が外側に開く請求項１に記載の樹脂成形品。
【請求項３】
前記フック部分は、前記筒状部内に挿入されたネジ締結部品に前記閉塞部の前記ネジ孔から該筒状部の前記基端に向かって所定以上の荷重を掛けることによって破壊され、該筒状部内に挿入されたネジ締結部品の離脱を許す請求項１または２に記載の樹脂成形品。
【請求項４】
前記筒状部内には、ネジ締結部品の外形に当接してネジ締結部品の空回りを防ぐリブが形成されている請求項１乃至３のいずれか一項に記載の樹脂成形品。
【請求項５】
前記閉塞部の前記ネジ孔は、ネジ締結部品のネジ軸よりも大径である請求項１乃至４のいずれか一項に記載の樹脂成形品。
【請求項６】
ネジ締結部品は、六角ナットまたは六角ネジ頭を持つボルトである請求項１乃至５のいずれか一項に記載の樹脂成形品。
【請求項７】
請求項１乃至６のいずれか一項に記載の樹脂成形品と、前記ネジ締結部品と、前記他部品と、前記ネジ締結部品の相手部品である第２のネジ締結部品とを有することを特徴とする電子機器。
【発明の詳細な説明】
【技術分野】
【０００１】
本発明は、電子機器の筐体等の樹脂成形品に関し、特に、他部品とネジを用いて締結される樹脂成形品に関する。
【背景技術】
【０００２】
多くの電子機器において、その筐体等には、樹脂成形品が用いられている。一般に、このような樹脂成形品に他の部品を搭載したり、樹脂成形品を他の部品に固定するためには、ネジを用いた締結がなされる。
【０００３】
ネジを用いた締結としては、タッピングネジを樹脂成形品に一体に形成された樹脂ボスに螺入するタッピング締結以外に、精密さ、強度、耐久性等確保の点から、双方共に金属製のネジとナット（雄ネジと雌ネジ）を用いるネジ締結がなされることも多い。尚、ネジ締結部品の一方、即ち、雄ネジまたは雌ネジは、生産性の向上を目的として、樹脂成形品にインサート成形によって搭載されることが多い。
【０００４】
ところで、樹脂成形品のリサイクルを行う場合、インサート成形された金属製のネジ締結部品を分別除去する必要があるが、これは大変な手間を要する工程であり、リサイクルの障害となっている。
【０００５】
樹脂成形品にインサート成形によって搭載された金属製のネジ締結部品を簡便に分別除去する策として、例えば、特許文献１には、樹脂製本体とこれに一体にインサート成形によって埋め込まれた金属製のインサートナットとから成るネジ締結部品を、樹脂成形品に一体に形成された中空ボスに嵌めこむ構造が開示されている。リサイクル時には、樹脂金属複合のネジ締結部品を強く押し出すことにより、このネジ締結部品を樹脂成形品から簡便に分別除去することができる。
【０００６】
また、特許文献２には、金属製の六角ナットを、樹脂成形品に一体に形成された中空ボスにインサート成形した構造が開示されている。六角ナットは、その取り外し方向には、中空ボス内壁に形成された突出部によって僅かに覆われている。リサイクル時には、六角ナットを強く押し出すことにより、突出部が破壊され、六角ナットを樹脂成形品から簡便に分別除去することができる。
【０００７】
さらに、特許文献３には、特にリサイクルを目的としたものではないが、押し出し成形による中空レール状の樹脂成形品の内部に、六角ナットをスライド挿入する構造が開示されている。
【先行技術文献】
【特許文献】
【０００８】
【特許文献１】特開２０００−８１０１６号公報
【特許文献２】特開２００１−２８９２３０号公報
【特許文献３】実用新案公開平６−６４０３５号公報
【発明の概要】
【発明が解決しようとする課題】
【０００９】
しかし、特許文献１に開示された構造において、そのネジ締結部品は、樹脂製本体に金属製インサートナットがインサート成形されたものであり、結局は、本体からインサートナットを分別除去する工程が必要である。また、このネジ締結部品は、この構造に専用のものであり、汎用性に劣る。
【００１０】
また、特許文献２に開示された構造は、金属製の六角ナットを樹脂成形品にインサート成形する工程を要する。インサート成形は、射出成形の金型構造の複雑化に繋がるし、また、射出成形工程も、ある程度の工数増加を招来するため、改善の余地があると云える。
【００１１】
さらに、特許文献３に開示された構造においては、金属製の六角ナットを着脱する方向がネジ軸に直交する方向であるため、この構造を配置するためには、大きなスペースを必要とし、近年ますます小型化される傾向にある電子機器の筐体等には適していない。また、この構造は、押し出し成形による樹脂成形品に適用されており、射出成形する場合には、スライド金型が必須であり、金型コストの増加に繋がる。
【００１２】
それ故、本発明の課題は、リサイクルをし易いことに加え、汎用のネジ締結部品をインサート成形することなく用いることができると共に、簡素な金型で製造できる、ねじ締結される樹脂成形品を提供することである。
【００１３】
本発明の他の課題は、そのような樹脂成形品を部品として有する電子機器を提供することである。
【課題を解決するための手段】
【００１４】
本発明によれば、他部品とネジ締結される樹脂成形品であって、樹脂成形品の表面に開口した基端から先端に向かって延び、ネジ締結部品を挿入可能な内径を持つ筒状部と、ネジ締結部品のネジ軸を挿通可能なネジ孔を除いて前記筒状部の先端を塞いだ閉塞部と、前記筒状部の内壁面から内側に向かって該筒状部内に挿入されたネジ締結部品にオーバーラップするように突出し、前記筒状部内に挿入されたネジ締結部品の離脱を規制する締結部品保持部とを有するネジ締結される樹脂成形品において、前記締結部品保持部は、前記筒状部の内壁にスリットを介して形成された片持ちバネ部分と、前記片持ちバネ部分の先端から内側に向かって前記筒状部内に挿入されたネジ締結部品の挿入後端面に僅かにオーバーラップするように突出するフック部分とを備えており、ネジ締結部品の前記筒状部内への挿入を前記片持ちバネ部分が該筒状部の外側に向かって撓むことによって許すことを特徴とするネジ締結される樹脂成形品が得られる。
【００１５】
前記締結部品保持部の前記フック部分は、前記筒状部の前記基端を臨むテーパ面を持ち、該テーパ面がネジ締結部品によって押されることにより、前記片持ちバネ部分が外側に開くものであってもよい。また、前記フック部分は、前記筒状部内に挿入されたネジ締結部品に前記閉塞部の前記ネジ孔から該筒状部の前記基端に向かって所定以上の荷重を掛けることによって破壊され、該筒状部内に挿入されたネジ締結部品の離脱を許すものであってもよい。
【００１６】
前記筒状部内には、ネジ締結部品の外形に当接してネジ締結部品の空回りを防ぐリブが形成されていてもよい。
【００１７】
前記閉塞部の前記ネジ孔は、ネジ締結部品のネジ軸よりも大径であってもよい。
【００１８】
ネジ締結部品は、六角ナットまたは六角ネジ頭を持つボルトであってもよい。
【００１９】
本発明によればまた、前記樹脂成形品と、前記ネジ締結部品と、前記他部品と、前記ネジ締結部品の相手部品である第２のネジ締結部品とを有することを特徴とする電子機器が得られる。
【発明の効果】
【００２０】
本発明によるネジ締結される樹脂成形品は、リサイクルをし易いことに加え、汎用のネジ締結部品をインサート成形することなく用いることができると共に、簡素な金型で製造できる。
【図面の簡単な説明】
【００２１】
【図１】本発明の実施例によるネジ締結される樹脂成形品としての下ケースを示す図であり、（ａ）はネジ締結相手である上ケース側から見た平面図であり、（ｂ）は切断線１Ｂ−１Ｂに沿った断面図であり、（ｃ）は底面図であり、（ｄ）は上ケース側から見た斜視図である。
【図２】図１に示されたネジ締結される樹脂成形品としての下ケースの機能を説明するための図であり、（ａ）はネジ締結部品としての六角ナットが下ケースに挿入される時を示す断面図であり、（ｂ）は六角ナットが下ケースに挿入された後を示す断面図であり、（ｃ）はネジ締結部品としてのボルトが六角ナットに螺入される前を示す断面図であり、（ｄ）はボルトが六角ナットに螺入された後を示す断面図である。
【図３】図１に示されたネジ締結される樹脂成形品としての下ケースの機能を説明するための図であり、リサイクル時に六角ナットが下ケースから除去された後を示す断面図である。
【発明を実施するための形態】
【００２２】
本発明によるネジ締結される樹脂成形品は、他部品とネジ締結される樹脂成形品であって、樹脂成形品の表面に開口した基端から先端に向かって延び、ネジ締結部品を挿入可能な内径を持つ筒状部と、ネジ締結部品のネジ軸を挿通可能なネジ孔を除いて筒状部の先端を塞いだ閉塞部と、筒状部の内壁面から内側に向かって筒状部内に挿入されたネジ締結部品にオーバーラップするように突出し、筒状部内に挿入されたネジ締結部品の離脱を規制する締結部品保持部とを有するネジ締結されるものである。
【００２３】
特に、本樹脂成形品において、締結部品保持部は、筒状部の内壁にスリットを介して形成された片持ちバネ部分と、片持ちバネ部分の先端から内側に向かって筒状部内に挿入されたネジ締結部品の挿入後端面に僅かにオーバーラップするように突出するフック部分とを備えている。そして、ネジ締結部品の筒状部内への挿入を片持ちバネ部分が筒状部の外側に向かって撓むことによって許すことを特徴とするネジ締結される。
【００２４】
このような構成により、筒状部内に挿入されたネジ締結部品に荷重を掛けることによってフック部分が破壊されネジ締結部品を簡便に分離除去できるため、リサイクルをし易い。これに加え、六角ナット等の汎用のネジ締結部品を片持ちバネ部分を撓ませて容易に筒状部内に取り付けできるため、インサート成形が不要であるし、これら構造を樹脂成形品に一体に成形する際にはスライド金型は不要であるため、簡素な金型で製造できる。
【実施例】
【００２５】
以下、図面を参照して、本発明によるネジ締結される樹脂成形品のより具体的な実施例を詳細に説明する。
【００２６】
図１（ａ）〜（ｄ）を参照すると、ネジ締結される樹脂成形品としての下ケース１０は、上ケース２０とネジ締結されることにより、電子機器の筐体を構成するものであって、筒状部１１１と、閉塞部１１２と、締結部品保持部１１３とを有している。筒状部１１１は、下ケース１０の外表面１０ｂに開口した基端から先端に向かって延び、ネジ締結部品としての六角ナット３０を挿入可能な内径を持っている。閉塞部１１２は、六角ナット３０と対をなすボルト（図示せず）のネジ軸を挿通可能なネジ孔１１２ｂを除いて筒状部１１１の先端を塞いでいる。締結部品保持部１１３は、筒状部１１１の内壁面から内側に向かって筒状部１１１内に挿入された六角ナット３０にオーバーラップするように突出し、筒状部１１１内に挿入された六角ナット３０の離脱を規制するものである。
【００２７】
特に、締結部品保持部１１３は、片持ちバネ部分１１３ｂと、フック部分１１３ａとを備えている。
【００２８】
片持ちバネ部分１１３ｂは、筒状部１１１の内壁にスリットを介して形成されている。
【００２９】
フック部分１１３ａは、片持ちバネ部分１１３ｂの先端から内側に向かって筒状部１１１内に挿入された六角ナット３０の挿入後端面（図１（ｂ）中、下側の面）に僅かにオーバーラップするように突出している。
【００３０】
そして、六角ナット３０の筒状部１１１内への挿入を、片持ちバネ部分１１３ｂが筒状部１１１の外側に向かって撓むことによって許す。
【００３１】
締結部品保持部１１３のフック部分１１３ａは、筒状部１１１の基端を臨むテーパ面を持ち、このテーパ面が六角ナット３０によって押されることにより、片持ちバネ部分１１３ｂが外側に開くようになっている。
【００３２】
筒状部１１１内には、六角ナット３０の外形に当接してネジ締結部品の空回りを防ぐリブ１１４が形成されている。
【００３３】
尚、ネジ締結部品は、本実施例では六角ナットであるが、六角ネジ頭を持つボルトであってもよい。その場合には、植え込みボルトと同様に用いることができる。
【００３４】
さて、下ケース１０は、次のように機能する。
【００３５】
図２（ａ）に示されるように、ネジ締結部品としての六角ナット３０が下ケース１０の筒状部１１１の内部に挿入される。
【００３６】
この際、フック部分１１３ａのテーパ面に六角ナットの挿入前端面が当接することにより、片持ちバネ部分１１３ｂが放射状に開き、その後、フック部分１１３ａによってラッチされ、図２（ｂ）に示された状態となる。
【００３７】
次に、図２（ｃ）に示されるように、六角ナット３０と対をなすネジ締結部品としてのボルト４０が六角ナット３０に螺入される。
【００３８】
以上のようにして、下ケース１０と上ケース２０とがネジ締結され、電子機器の筐体が構成された。
【００３９】
本電子機器をリサイクルする際には、ボルト４０が螺出された後、閉塞部１１２のネジ孔１１２ｂを介して、ボルト４０のネジ軸よりも太い棒状の治具等を所定の荷重で押し下げることにより、フック部分１１３ａおよび／または片持ちバネ部分１１３ｂが破壊され、図３に示されるようにナット３０が分離除去される。
【産業上の利用可能性】
【００４０】
以上説明した実施例に限定されることなく、本発明は、その範囲内であれば、種々の変形が可能であることは云うまでもない。
【符号の説明】
【００４１】
１０      下ケース
１０ｂ    外表面
１１１    筒状部
１１２    閉塞部
１１２ｂ  ネジ孔
１１３    締結部品保持部
１１３ａ  フック部分
１１３ｂ  片持ちバネ部分
１１４    リブ
２０      上ケース
３０      六角ナット
４０      ボルト
【図１】
2010196768.tif 000003
【図２】
2010196768.tif 000004
【図３】
2010196768.tif 000005